【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
通信システムとワイヤレス通信するための装置であって、前記装置は、
第１のデータパケットと第２のデータパケットとを記憶するように構成されたメモリユニットと、前記第１のデータパケットおよび前記第２のデータパケットは、連続するシーケンス番号を有する、
前記メモリユニットに動作可能に結合され、前記メモリユニットから前記第１のデータパケットと前記第２のデータパケットとを取り出すように構成されたプロセッサと、
前記プロセッサに動作可能に結合されたトランシーバと、前記トランシーバは、データを通信するためのワイヤレスの第１のチャネルとワイヤレスの第２のチャネルとを含み、前記装置は、前記第１のチャネルを介して前記通信システムに前記第１のデータパケットを送信することと、前記第１のデータパケットに関連付けられた受信情報を備える前記通信システムから第１の確認応答を前記第１のチャネルを介して受信することと、および前記第１の確認応答が前記第１のデータパケットの成功した受信を示す受信情報を含むという決定に基づいて、前記第２のチャネルを介して別の通信システムに前記第２のデータパケットを送信することと、を行うように構成される、
を備える、装置。
【請求項２】
前記第１のチャネルが、第１の周波数においてデータを通信するように構成され、前記第２のチャネルが、第２の周波数においてデータを通信するように構成され、前記第２の周波数が前記第１の周波数とは異なる、請求項１に記載の装置。
【請求項３】
前記通信システムが、前記第１のチャネルと前記第２のチャネルの両方を同時に監視する、請求項１に記載の装置。
【請求項４】
前記装置が、前記第１の確認応答が前記第１のデータパケットが受信されなかったことを示すことを受信したとき、前記装置は、
前記第１のチャネルまたは前記第２のチャネルのうちの少なくとも１つを介して前記通信システムに前記第１のデータパケットを再送信することと、および
前記第１のデータパケットを再送信するために使用された前記第１または第２のチャネルを介して第２の確認応答を受信することと、前記第２の確認応答は、前記通信システムによる前記再送信された第１のデータパケットの受信ステータスを示す受信情報を含む、
を行うようにさらに構成された、請求項１に記載の装置。
【請求項５】
前記装置が、ある時間の長さの間に前記第１の確認応答を受信することに失敗したとき、前記装置は、
前記第１のチャネルまたは前記第２のチャネルのうちの少なくとも１つを介して前記通信システムに前記第１のデータパケットを再送信することと、および、
前記第１のデータパケットを再送信するために使用された前記第１または第２のチャネルを介して第２の確認応答を受信することと、前記第２の確認応答は、前記通信システムによる前記再送信された第１のデータパケットの受信ステータスを示す受信情報を含む、
を行うようにさらに構成された、請求項１に記載の装置。
【請求項６】
前記メモリユニットは、第３のデータパケットを記憶するようにさらに構成され、ここにおいて、前記プロセッサは、前記第３のパケットを取り出すようにさらに構成され、および、ここにおいて、前記装置は、
前記第１のチャネルを介して前記通信システムに前記第１のパケットと前記第３のパケットとを送信することと、および
前記第１のチャネルを介して前記通信システムから前記第１のデータパケットと前記第３のデータパケットとに関連付けられた受信情報を備える第２の確認応答を受信することと、
を行うようにさらに構成された、請求項１に記載の装置。
【請求項７】
前記装置は、前記第２の確認応答が、前記第１のデータパケットが受信されなかったことを示すことを受信したとき、前記装置は、
前記第１のチャネルまたは前記第２のチャネルのうちの少なくとも１つを介して前記通信システムに前記第１のデータパケットを再送信することと、および
前記第１のデータパケットを再送信するために使用された前記第１または第２のチャネルを介して第３の確認応答を受信することと、前記第３の確認応答は、前記通信システムにより前記再送信された第１のデータパケットの受信ステータスを示す受信情報を含む、
を行うようにさらに構成された、請求項６に記載の装置。
【請求項８】
前記装置が、ある時間の長さの間に前記第２の確認応答を受信することに失敗したとき、前記装置は、
前記第１のチャネルまたは前記第２のチャネルのうちの少なくとも１つを介して前記通信システムに、前記第１のパケットと前記第３のパケットとを再送信することと、および
前記第１のデータパケットを再送信するために使用された前記第１または第２のチャネルを介して第３の確認応答を受信することと、前記第３の確認応答は、前記通信システムにより前記再送信された第１のデータパケットの受信ステータスを示す受信情報を含む、
を行うようにさらに構成された、請求項６に記載の装置。
【請求項９】
前記装置は、前記別の通信システムと少なくとも前記トランシーバを共有する、請求項１に記載の装置。
【請求項１０】
前記通信システムはユーザ局を備え、前記別の通信システムはアクセスポイントを備える、請求項１に記載の装置。
【請求項１１】
第１のワイヤレスチャネルと第２のワイヤレスチャネルとを介して通信システムとワイヤレス通信する方法であって、前記方法は、
前記第１のチャネルを介して前記通信システムに第１のデータパケットを送信することと、
前記第１のチャネルを介して前記通信システムから第１の確認応答を受信することと、前記第１の確認応答は、前記第１のデータパケットの成功した受信が行われたかどうかを示す受信情報を含む、
前記第１の確認応答が前記第１のデータパケットの成功した受信を示すという決定に基づいて、前記第２のチャネルを介して別の通信システムに第２のデータパケットを送信することと、
を備える、方法。
【請求項１２】
前記第１のデータパケットを送信することは、第１の周波数において前記第１のチャネルを介して前記通信システムに前記第１のデータパケットを送信することを備え、
ここにおいて、前記第１の確認応答を受信することは、前記第１のチャネルを介して前記通信システムから前記第１の確認応答を受信することを備え、
および、ここにおいて、前記第２のデータパケットを送信することは、第２の周波数において前記第２のチャネルを介して前記第２のデータパケットを送信することを備える、
請求項１１に記載の方法。
【請求項１３】
前記通信システムは、前記第１のワイヤレスチャネルと前記第２のワイヤレスチャネルとを同時に監視する、請求項１１に記載の方法。
【請求項１４】
前記方法は、
前記第１の確認応答が、前記第１のデータパケットが受信されなかったことを示すとき、前記第１のチャネルを介して前記通信システムに前記第１のデータパケットを再送信することと、
前記第１のチャネルを介して前記通信システムから第２の確認応答を受信することと、前記第２の確認応答は、前記再送信された第１のデータパケットに関連付けられた受信情報を含む、
をさらに備える、請求項１１に記載の方法。
【請求項１５】
前記方法は、
前記第１の確認応答が、ある時間の長さの間に受信されなかったとき、前記第１のチャネルを介して前記通信システムに前記第１のデータパケットを再送信することと、
前記第１のチャネルを介して前記通信システムから第２の確認応答を受信することと、前記第２の確認応答は、前記再送信された第１のデータパケットに関連付けられた受信情報を備える、
をさらに備える、請求項１１に記載の方法。
【請求項１６】
前記方法は、
前記第１のチャネルを介して前記通信システムに、前記第１のパケットと第３のパケットとを送信することと、
前記第１のチャネルを介して前記通信システムから第２の確認応答を受信することと、前記第２の確認応答は、前記第１のデータパケットまたは第３のデータパケットのうちの少なくとも１つに関連付けられた受信情報を含む、
をさらに備える、請求項１１に記載の方法。
【請求項１７】
前記方法は、
前記第２の確認応答が、前記第１のデータパケットが成功して受信されなかったことを示すとき、前記第１のチャネルを介して前記通信システムに前記第１のデータパケットを再送信することと、および
前記第１のチャネルを介して前記通信システムから第３の確認応答を受信することと、前記第３の確認応答は、前記再送信された第１のデータパケットに関連付けられた受信情報を含む、
をさらに備える、請求項１６に記載の方法。
【請求項１８】
前記方法は、
前記第２の確認応答が、ある時間の長さの間に成功して受信されなかったとき、前記第１のチャネルを介して前記通信システムに前記第１のパケットと前記第３のパケットとを再送信することと、
前記第１のチャネルを介して前記通信システムから第３の確認応答を受信することと、前記第３の確認応答は、前記第１のデータパケットまたは前記第３のデータパケットのうちの前記少なくとも１つに関連付けられた第３の受信情報を含む、
をさらに備える、請求項１６に記載の方法。
【請求項１９】
前記通信システムはユーザ局を備え、前記別の通信システムはアクセスポイントを備える、請求項１１に記載の方法。
【請求項２０】
ワイヤレスの第１のチャネルとワイヤレスの第２のチャネルとを介して通信システムとワイヤレス通信するための装置であって、前記装置は、
第１のデータパケットと第２のデータパケットとを記憶するための手段と、前記第１のデータパケットおよび前記第２のデータパケットは、連続するシーケンス番号を有し、
前記記憶手段に動作可能に結合され、前記記憶手段から前記第１のデータパケットと前記第２のデータパケットとを取り出すように構成された処理するための手段と、
前記第１のチャネルを介して前記通信システムに第１のデータパケットを送信するための手段と、
前記第１のチャネルを介して前記通信システムから第１の確認応答を受信するための手段と、前記第１の確認応答は、前記第１のデータパケットに関連付けられた受信情報を含み、
前記第１の確認応答が前記第１のデータパケットの受信の肯定応答を含むという決定に基づいて、前記第２のチャネルを介して別の通信システムに前記第２のデータパケットを送信するための手段と
を備える、装置。
【請求項２１】
記憶するための前記手段はメモリユニットを備え、ここにおいて、処理するための前記手段がプロセッサを備え、ここにおいて、前記第１のデータパケットを送信するための前記手段が送信機を備え、ここにおいて、前記第１の確認応答を受信するための前記手段が受信機を備え、および前記第２のデータパケットを送信するための前記手段が前記送信機を備える、請求項２０に記載の装置。
【請求項２２】
前記通信システムはユーザ局を備え、前記別の通信システムはアクセスポイントを備える、請求項２０に記載の装置。
【請求項２３】
実行されたとき、装置に、
第１のチャネルを介して通信システムに第１のデータパケットを送信することと、
前記第１のチャネルを介して前記通信システムから第１の確認応答を受信することと、前記第１の確認応答は、前記第１のデータパケットに関連付けられた受信情報を備え、
前記第１の確認応答が前記第１のデータパケットの成功した送信を示すかどうかを決定することと、
前記第１のデータパケットの前記送信が正常だったという決定に基づいて、前記第２のチャネルを介して別の通信システムに第２のデータパケットを送信することと、
を行わせる、コードを備える非一時的コンピュータ可読媒体。
【手続補正２】
【補正対象書類名】明細書
【補正対象項目名】０１２９
【補正方法】変更
【補正の内容】
【０１２９】
[00145]上記は本開示の態様を対象とするが、本開示の他の態様およびさらなる態様は、それの基本的範囲から逸脱することなく考案され得、それの範囲は以下の特許請求の範囲によって決定される。
以下に、本願出願の当初の特許請求の範囲に記載された発明を付記する。
［Ｃ１］
通信システムとワイヤレス通信するための装置であって、前記装置は、
第１のデータパケットと第２のデータパケットとを記憶するように構成されたメモリユニットと、前記第１のデータパケットおよび前記第２のデータパケットは、連続するシーケンス番号を有する、
前記メモリユニットに動作可能に結合され、前記メモリユニットから前記第１のデータパケットと前記第２のデータパケットとを取り出すように構成されたプロセッサと、
前記プロセッサに動作可能に結合されたトランシーバと、前記トランシーバは、データを通信するためのワイヤレスの第１のチャネルとワイヤレスの第２のチャネルとを含み、前記装置は、前記第１のチャネルを介して前記通信システムに前記第１のデータパケットを送信するように、前記第１のデータパケットに関連付けられた受信情報を備える前記通信システムから第１の確認応答を前記第１のチャネルを介して受信するように、および前記第１の確認応答が、前記第１のデータパケットの成功した受信を示す受信情報を含むことを前記装置が決定した後、前記第２のチャネルを介して前記通信システムに前記第２のデータパケットを送信することとを行うように、構成される、
を備える、装置。
［Ｃ２］
前記第１のチャネルが、第１の周波数においてデータを通信するように構成され、前記第２のチャネルが、第２の周波数においてデータを通信するように構成され、前記第２の周波数が前記第１の周波数とは異なる、Ｃ１に記載の装置。
［Ｃ３］
前記通信システムが、前記第１のチャネルと前記第２のチャネルの両方を同時に監視する、Ｃ１に記載の装置。
［Ｃ４］
前記装置が、前記第１の確認応答が前記第１のデータパケットが受信されなかったことを示すことを受信したとき、前記装置は、
前記第１のチャネルまたは前記第２のチャネルのうちの少なくとも１つを介して前記通信システムに前記第１のデータパケットを再送信するように、
前記第１のデータパケットを再送信するために使用された前記第１または第２のチャネルを介して第２の確認応答を受信するように、前記第２の確認応答は、前記通信システムによる前記再送信された第１のデータパケットの受信ステータスを示す受信情報を含む、
を行うためにさらに構成された、Ｃ１に記載の装置。
［Ｃ５］
前記装置が、ある時間の長さの間に前記第１の確認応答を受信することに失敗したとき、前記装置は、
前記第１のチャネルまたは前記第２のチャネルのうちの少なくとも１つを介して前記通信システムに前記第１のデータパケットを再送信するように、および、  前記第１のデータパケットを再送信するために使用された前記第１または第２のチャネルを介して第２の確認応答を受信するように、前記第２の確認応答は、前記通信システムによる前記再送信された第１のデータパケットの受信ステータスを示す受信情報を含むように、さらに構成された、Ｃ１に記載の装置。
［Ｃ６］
前記メモリユニットは、第３のデータパケットを記憶するようにさらに構成され、ここにおいて、前記プロセッサは、前記第３のパケットを取り出すようにさらに構成され、および、ここにおいて、前記装置は、
前記第１のチャネルを介して前記通信システムに前記第１のパケットと前記第３のパケットおよびとを送信するように、
前記第１のチャネルを介して前記通信システムから前記第１のデータパケットと前記第３のデータパケットとに関連付けられた受信情報を備える第２の確認応答を受信するように、
さらに構成された、Ｃ１に記載の装置。
［Ｃ７］
前記装置は、前記第２の確認応答が、前記第１のデータパケットが受信されなかったことを示すことを受信したとき、前記装置は、
前記第１のチャネルまたは前記第２のチャネルのうちの少なくとも１つを介して前記通信システムに前記第１のデータパケットを再送信するように、および
前記第１のデータパケットを再送信するために使用された前記第１または第２のチャネルを介して第３の確認応答を受信するように構成され、前記第３の確認応答は、前記通信システムにより前記再送信された第１のデータパケットの受信ステータスを示す受信情報を含む、さらにように構成される、
Ｃ６に記載の装置。
［Ｃ８］
前記装置が、ある時間の長さの間に前記第２の確認応答を受信することに失敗したとき、前記装置は、
前記第１のチャネルまたは前記第２のチャネルのうちの少なくとも１つを介して前記通信システムに、前記第１のパケットと前記第３のパケットとを再送信するように、および
前記第１のデータパケットを再送信するために使用された前記第１または第２のチャネルを介して第３の確認応答を受信するように、前記第３の確認応答は、前記通信システムにより前記再送信された第１のデータパケットの受信ステータスを示す受信情報を含む、
さらに構成された、Ｃ６に記載の装置。
［Ｃ９］
前記装置は、前記装置が、前記第１の確認応答が前記第１のデータパケットの成功した受信を示すことを受信したとき、別の通信システムに前記第２のデータパケットを送信するようにさらに構成される、Ｃ１に記載の装置。
［Ｃ１０］
前記装置は、前記別の通信システムと少なくとも前記トランシーバを共有する、Ｃ９に記載の装置。
［Ｃ１１］
通信システムとワイヤレス通信するための装置であって、前記装置は、
第１のチャネルと第２のチャネルとに関連付けられた情報を記憶するように構成されたメモリユニットと、
前記メモリユニットに動作可能に結合されたプロセッサと、前記プロセッサは前記メモリユニットから前記情報を取り出すように構成される、
前記プロセッサに動作可能に結合されたトランシーバと、
前記トランシーバは、データを通信するためのワイヤレスの第１のチャネルとワイヤレスの第２のチャネルとを含み、
前記装置は、
前記第１のチャネルを介して前記通信システムから第１のデータパケットを受信するように、
前記第１のデータパケットに関連付けられた受信情報を備える第１の確認応答を前記第１のチャネルを介して送信するように、および、
前記第２のチャネルを介して前記通信システムから第２のパケットを受信するように、構成される、前記第１のパケットおよび前記第２のパケットは、連続するシーケンス番号を有する、を備える、装置。
［Ｃ１２］
前記装置は、
前記第１のチャネルを介して前記通信システムから前記第１のデータパケットを受信することと、前記第１のチャネルは第１の周波数において動作し、
前記第１のチャネルを介して前記通信システムに前記第１の確認応答を送信することと、
前記第２のチャネルを介して前記第２のパケットを受信することと、前記第２のチャネルは第２の周波数において動作し、
を行うようにさらに構成された、Ｃ１１に記載の装置。
［Ｃ１３］
前記装置が、前記第１のチャネルと前記第２のチャネルとを同時に監視する、Ｃ１１に記載の装置。
［Ｃ１４］
前記装置は、前記装置が前記第１のデータパケットを受信することに失敗したとき、前記第１のパケットの失敗された受信を示すために前記第１の確認応答を生成するようにさらに構成され、および前記装置が、前記第１のチャネルを介して前記通信システムから前記第１のパケットを受信するようにさらに構成される、Ｃ１１に記載の装置。
［Ｃ１５］
前記装置は、前記装置が前記第１のパケットを成功して受信したとき、前記第１のパケットの成功した受信を示すために前記第１の確認応答を生成するように構成される、Ｃ１１に記載の装置。
［Ｃ１６］
前記装置は、
前記第１のチャネルを介して前記通信システムから前記１つの第１のパケットと１つの第３のパケットとを受信するように、
前記第１のチャネルを介して前記通信システムに第２の確認応答を送信するように、前記第２の確認応答は、前記第１のパケットまたは前記第３のパケットのうちの少なくとも１つの受信ステータスを示す受信情報を含む、
さらに構成された、Ｃ１１に記載の装置。
［Ｃ１７］
前記装置は、
前記装置が前記第１のパケットを受信することに失敗したとき、前記第１のパケットの失敗した受信に関連付けられた情報を示すために前記第２の確認応答を生成するように構成され、ここにおいて、前記装置は、前記第１のチャネルを介して前記通信システムから前記第１のパケットを受信するようにさらに構成される、
Ｃ１６に記載の装置。
［Ｃ１８］
前記装置が、前記第１のパケットと前記第３のパケットとを成功して受信したとき、前記第２の確認応答は、前記第１のパケットの成功した受信と前記第３のパケットの成功した受信とに関連付けられた情報を備える、Ｃ１６に記載の装置。
［Ｃ１９］
第１のワイヤレスチャネルと第２のワイヤレスチャネルとを介して通信システムとワイヤレス通信する方法であって、
前記方法は、
前記第１のチャネルを介して前記通信システムに第１のデータパケットを送信することと、
前記第１のチャネルを介して前記通信システムから第１の確認応答を受信することと、前記第１の確認応答は、前記第１のデータパケットの成功した受信が行われたかどうかを示す受信情報を含む、
前記第１の確認応答が前記第１のデータパケットの成功した受信を示すとき、前記第２のチャネルを介して前記通信システムに前記第２のデータパケットを送信することと、を備える、
前記方法。
［Ｃ２０］
前記第１のデータパケットを送信することは、第１の周波数において前記第１のチャネルを介して前記通信システムに前記第１のデータパケットを送信することを備え、
ここにおいて、前記第１の確認応答を受信することは、前記第１のチャネルを介して前記通信システムから前記第１の確認応答を受信することを備え、
および、ここにおいて、前記第２のデータパケットを送信することは、第２の周波数において前記第２のチャネルを介して前記第２のデータパケットを送信することを備える、
Ｃ１９に記載の方法。
［Ｃ２１］
前記通信システムは、前記第１のワイヤレスチャネルと前記第２のワイヤレスチャネルとを同時に監視する、Ｃ１９に記載の方法。
［Ｃ２２］
前記方法は、
前記第１の確認応答が、前記第１のデータパケットが受信されなかったことを示すとき、前記第１のチャネルを介して前記通信システムに前記第１のデータパケットを再送信することと、
前記第１のチャネルを介して前記通信システムから第２の確認応答を受信することと、前記第２の確認応答は、前記再送信された第１のデータパケットに関連付けられた受信情報を含む、
をさらに備える、Ｃ１９に記載の方法。
［Ｃ２３］
前記方法は、
前記第１の確認応答が、ある時間の長さの間に受信されなかったとき、前記第１のチャネルを介して前記通信システムに前記第１のデータパケットを再送信することと、
前記第１のチャネルを介して前記通信システムから第２の確認応答を受信することと、前記第２の確認応答は、前記再送信された第１のデータパケットに関連付けられた受信情報を備える、
をさらに備える、Ｃ１９に記載の方法。
［Ｃ２４］
前記方法は、
前記第１のチャネルを介して前記通信システムに、前記第１のパケットと前記第３のパケットおよびとを送信することと、
前記第１のチャネルを介して前記通信システムから第２の確認応答を受信することと、前記第２の確認応答は、前記第１のデータパケットまたは前記第３のデータパケットのうちの少なくとも１つに関連付けられた受信情報を含む、
をさらに備える、Ｃ１９に記載の方法。
［Ｃ２５］
前記方法は、
前記第２の確認応答が、前記第１のデータパケットが成功して受信されなかったことを示すとき、前記第１のチャネルを介して前記通信システムに前記第１のデータパケットを再送信することと、および
前記第１のチャネルを介して前記通信システムから第３の確認応答を受信することと、前記第３の確認応答は、前記再送信された第１のデータパケットに関連付けられた受信情報を含む、
をさらに備える、Ｃ２４に記載の方法。
［Ｃ２６］
前記方法は、
前記第２の確認応答が、ある時間の長さの間に成功して受信されなかったとき、前記第１のチャネルを介して前記通信システムに前記第１のパケットと前記第３のパケットを再送信することと、
前記第１のチャネルを介して前記通信システムから第３の確認応答を受信することと、前記第３の確認応答は、前記第１のデータパケットまたは前記第３のデータパケットのうちの前記少なくとも１つに関連付けられた第３の受信情報を含む、
をさらに備える、Ｃ２４に記載の方法。
［Ｃ２７］
前記方法は、前記第１の確認応答が、前記第１のデータパケットが受信されたことを示すとき、別の通信システムに前記第２のデータパケットを送信することをさらに備える、Ｃ１９に記載の方法。
［Ｃ２８］
ワイヤレスの第１のチャネルとワイヤレスの第２のチャネルとを介して通信システムとワイヤレス通信する方法であって、前記方法は、
前記第１のチャネルを介して前記通信システムから第１のデータパケットを受信することと、
前記第１のチャネルを介して前記通信システムに第１の確認応答を送信することと、前記第１の確認応答は、前記受信された第１のデータパケットに関連付けられた第１の受信情報を含み、
前記第２のチャネルを介して前記通信システムから第２のパケットを受信することと、前記第１のパケットおよび前記第２のパケットは、連続するシーケンス番号を有する、を備える、方法。
［Ｃ２９］
前記第１のデータパケットを受信することは、第１の周波数において前記第１のチャネルを介して前記通信システムから前記第１のデータパケットを受信することを備え、ここにおいて、前記第１の確認応答を送信することは、前記第１のチャネルを介して前記通信システムに前記第１の確認応答を送信することを備え、および、ここにおいて、前記第２のデータパケットを受信することは、第２の周波数において前記第２のチャネルを介して前記第２のデータパケットを受信することを備える、Ｃ２８に記載の方法。
［Ｃ３０］
前記方法は、前記ワイヤレスの第１のチャネルと前記ワイヤレスの第２のチャネルとを監視することをさらに備える、Ｃ２８に記載の方法。
［Ｃ３１］
前記方法は、
前記第１のデータパケットが受信されなかったことを示すために、前記第１の確認応答を設定することと、
前記第１のデータパケットが受信されなかったとき、前記第１のチャネルまたは前記第２のチャネルのうちの少なくとも１つを介して前記通信システムから前記第１のパケットの再送信を受信することと
をさらに備える、Ｃ２８に記載の方法。
［Ｃ３２］
前記方法は、前記第１のパケットが成功して受信されたことを示すために前記第１の確認応答を設定することをさらに備える、Ｃ２８に記載の方法。
［Ｃ３３］
前記方法は、
前記第１のチャネルを介して前記通信システムから前記１つの第１のパケットと第３のパケットとを受信することと、
前記第１のチャネルを介して前記通信システムに第２の確認応答を送信することと、前記第２の確認応答は、前記第１のパケットまたは前記第３のパケットのうちの少なくとも１つに関連付けられた受信情報を含む、
をさらに備える、Ｃ２８に記載の方法。
［Ｃ３４］
前記方法は、
前記第１のパケットが受信されなかったことを示すために前記第２の確認応答を設定することと、
前記第１のパケットが前記第１のチャネルを介して受信されなかったとき、前記第１のチャネルを介して前記通信システムから前記第１のパケットを受信することと
を備える、Ｃ３３に記載の方法。
［Ｃ３５］
前記方法は、前記第１のパケットおよび前記第３のパケットが成功して受信されたとき、前記第１のパケットの成功した受信と前記第３のパケットの成功した受信とを示すために、前記第２の確認応答を設定することを備える、Ｃ３３に記載の方法。
［Ｃ３６］
ワイヤレスの第１のチャネルとワイヤレスの第２のチャネルとを介して通信システムとワイヤレス通信するための装置であって、前記装置は、
第１のデータパケットと第２のデータパケットとを記憶するための手段と、前記第１のデータパケットおよび前記第２のデータパケットは、連続するシーケンス番号を有し、
前記記憶手段に動作可能に結合され、前記記憶手段から前記第１のデータパケットと前記第２のデータパケットとを取り出すように構成された処理するための手段と、
前記第１のチャネルを介して前記通信システムに第１のデータパケットを送信するための手段と、
前記第１のチャネルを介して前記通信システムから第１の確認応答を受信するための手段と、前記第１の確認応答は、前記第１のデータパケットに関連付けられた受信情報を含み、
前記装置が、前記第１の確認応答が、前記第１のデータパケットの受信の肯定応答を含むことを受信した後、前記第２のチャネルを介して前記通信システムに前記第２のデータパケットを送信するための手段と
を備える、装置。
［Ｃ３７］
記憶するための前記手段はメモリユニットを備え、ここにおいて、処理するための前記手段がプロセッサを備え、ここにおいて、前記第１のデータパケットを送信するための前記手段が送信機を備え、ここにおいて、前記第１の確認応答を受信するための前記手段が受信機を備え、および前記第２のデータパケットを送信するための前記手段が前記送信機を備える、Ｃ３６に記載の装置。
［Ｃ３８］
ワイヤレスの第１のチャネルとワイヤレスの第２のチャネルとを介して通信システムとワイヤレス通信するための装置であって、前記装置は、
前記第１のチャネルを介して前記通信システムから第１のデータパケットを受信するための手段と、
前記第１のチャネルを介して前記通信システムに第１の確認応答を送信するための手段と、前記第１の確認応答は、前記第１のデータに関連付けられた第１の受信情報を備え、
前記第２のチャネルを介して前記通信システムから第２のパケットを受信するための手段と、前記第１のパケットおよび前記第２のパケットは、連続するシーケンス番号を有する、
を備える、装置。
［Ｃ３９］
前記第１のデータパケットを受信するための前記手段は受信機を備え、ここにおいて、前記第１の確認応答を送信するための前記手段が送信機を備え、前記第２のパケットを受信するための前記手段が前記受信機を備える、Ｃ３８に記載の装置。
［Ｃ４０］
実行されたとき、装置に、
第１のチャネルを介して通信システムに第１のデータパケットを送信することと、
前記第１のチャネルを介して前記通信システムから第１の確認応答を受信することと、前記第１の確認応答は、前記第１のデータパケットに関連付けられた受信情報を備え、
前記第１の確認応答が前記第１のデータパケットの成功した送信を示すかどうかを決定することと、
前記第１のデータパケットの前記送信が正常だったことが決定される場合、前記第２のチャネルを介して前記通信システムに前記第２のデータパケットを送信することと、
を行わせる、コードを備える非一時的コンピュータ可読媒体。
［Ｃ４１］
実行されたとき、装置に、
第１のチャネルを介して通信システムから第１のデータパケットを受信することと、
前記第１のチャネルを介して前記通信システムに第１の確認応答を送信することと、前記第１の確認応答は、前記第１のデータパケットに関連付けられた受信情報を備え、
前記第２のチャネルを介して前記通信システムから第２のパケットを受信することと、前記第１のパケットおよび前記第２のパケットが、連続するシーケンス番号を有する、
を行わせる、コードを備える非一時的コンピュータ可読媒体。
［Ｃ４２］
ワイヤレスの第１のチャネルと第２のチャネルとを介して通信システムとワイヤレス通信するための装置であって、
前記第１のチャネルからのデータパケットを記憶するように構成された第１のバッファと、
前記第２のチャネルからのデータパケットを記憶するように構成された第２のバッファと、
前記第１のバッファの第１の開始シーケンス番号、
前記第１のバッファの第１のウィンドウサイズ、
前記第２のバッファの第２の開始シーケンス番号、および
前記第２のバッファの第２のウィンドウサイズ
を備える情報を記憶するように構成されたメモリユニットと、
前記第１のバッファと、前記第２のバッファと、および前記メモリユニットとに動作可能に結合されたプロセッサと、前記プロセッサは、前記第２の開始シーケンス番号に前記第１の開始シーケンス番号をコピーするように、前記第２のウィンドウサイズに前記第１のウィンドウサイズをコピーするように構成される、
を備える、装置。
［Ｃ４３］
前記第１のチャネルおよび前記第２のチャネルがワイヤレスチャネルである、Ｃ４２に記載の装置。
［Ｃ４４］
前記第１のチャネルが、前記通信システムに接続された論理チャネルであり、ここにおいて、前記第２のチャネルが、別の通信システムに接続された別の論理チャネルである、Ｃ４２に記載の装置。
［Ｃ４５］
前記メモリユニットが、次の予想されるシーケンス番号に関係する情報を記憶するようにさらに構成される、Ｃ４２に記載の装置。
［Ｃ４６］
前記プロセッサは、
前記次に予想されるシーケンス番号を取り出すことと、
前記第１のチャネルから第１のデータパケットを受信することと、前記第１のデータパケットは第１のシーケンス番号を含み、
前記第１のシーケンス番号が前記次に予想されるシーケンス番号よりも小さいとき、前記第１のバッファ中に前記第１のデータパケットを挿入することと、
前記第１のチャネルからブロック確認応答要求フレームを受信することと、前記ブロック確認応答要求フレームは第３の開始シーケンス番号を備え、
前記第３の開始シーケンス番号であるために前記次に予想されるシーケンス番号を設定することと、
を行うようにさらに構成された、Ｃ４２に記載の装置。
［Ｃ４７］
前記プロセッサは、
前記第２のチャネルから第２のデータパケットを受信することと、前記第２のデータパケットは第２のシーケンス番号を備え、
前記第２のシーケンス番号が前記次に予想されるシーケンス番号よりも小さいとき、前記第２のバッファ中に前記第２のデータパケットを挿入することと、
を行うようにさらに構成された、Ｃ４６に記載の装置。
［Ｃ４８］
第１のチャネルと第２のチャネルとを介して通信システムとワイヤレス通信する方法であって、前記方法は、
第２のバッファの第２の開始シーケンス番号に第１のバッファの第１の開始シーケンス番号をコピーすることと、
前記第２のバッファの第２のウィンドウサイズに前記第１のバッファの第１のウィンドウサイズをコピーすることと、前記第１のバッファは、前記第１のチャネルからのデータパケットを記憶するように構成され、前記第２のバッファは、前記第２のチャネルからのデータパケットを記憶するように構成される、
を備える、方法。
［Ｃ４９］
前記第１のチャネルおよび前記第２のチャネルは、２つのワイヤレスチャネルである、Ｃ４８に記載の方法。
［Ｃ５０］
前記第１のチャネルは、前記通信システムに接続された論理チャネルであり、ここにおいて、前記第２のチャネルは、別の通信システムに接続された別の論理チャネルである、Ｃ４８に記載の方法。
［Ｃ５１］
前記方法は、
次に予想されるシーケンス番号を取り出すことと、
前記第１のチャネルから第１のデータパケットを受信することと、前記第１のデータパケットは第１のシーケンス番号を備え、
前記第１のシーケンス番号が前記次の予想されるシーケンス番号よりも小さいとき、前記第１のバッファ中に前記第１のデータパケットを挿入することと、
前記第１のチャネルからブロック確認応答要求フレームを受信することと、前記ブロック確認応答要求フレームは第３の開始シーケンス番号を備え、
前記第３の開始シーケンス番号であるべき前記次に予想されるシーケンス番号を設定することと、
をさらに備える、Ｃ４８に記載の方法。
［Ｃ５２］
前記方法は、
前記第２のチャネルから第２のデータパケットを受信することと、前記第２のデータパケットは第２のシーケンス番号を備え、
前記第２のシーケンス番号は前記次に予想されるシーケンス番号よりも小さいとき、前記第２のバッファ中に前記第２のデータパケットを挿入すること、
をさらに備える、Ｃ４８に記載の方法。
［Ｃ５３］
第１のチャネルと第２のチャネルとを介して通信システムとワイヤレス通信するための装置であって、前記装置は、
第２のバッファの第２の開始シーケンス番号に第１のバッファの第１の開始シーケンス番号をコピーするための手段と、
前記第２のバッファの第２のウィンドウサイズに前記第１のバッファの第１のウィンドウサイズをコピーするための手段と、前記第１のバッファは、前記第１のチャネルからのデータパケットを記憶するように構成され、前記第２のバッファは、前記第２のチャネルからのデータパケットを記憶するように構成される、
を備える、装置。
［Ｃ５４］
前記第１のバッファの前記第１の開始シーケンス番号をコピーするための前記手段はプロセッサとメモリユニットとを備え、及びここにおいて、前記第１のバッファの前記第１のウィンドウサイズをコピーするための前記手段は少なくともプロセッサとメモリユニットとを備える、Ｃ５３に記載の装置。
［Ｃ５５］
実行されたとき、装置に、
第２のバッファの第２の開始シーケンス番号に第１のバッファの第１の開始シーケンス番号をコピーすることと、および
前記第２のバッファの第２のウィンドウサイズに前記第１のバッファの第１のウィンドウサイズをコピーすることと、前記第１のバッファは、前記第１のチャネルからのデータパケットを記憶するように構成され、前記第２のバッファは、前記第２のチャネルからのデータパケットを記憶するように構成される、
を行わせるコードを備える非一時的コンピュータ可読媒体。